(57)【特許請求の範囲】
【請求項１】
主走査方向と並行の、内面が光を拡散・反射する拡散反射膜で覆われた円筒と、前記円筒の外部に位置する光源とからなり、
前記円筒は、原稿搭載手段と相対する方向に設けられた第２の開口と、前記第２の開口に対向した位置から副走査方向に一定角度傾いた位置に設けられた第３の開口と、前記第２の開口に対向した位置から副走査方向に、前記第３の開口とは逆方向に一定角度傾いた位置に設けられた第１の開口とを備え、
前記光源からの光を前記第１の開口から円筒内に入射し、円筒内面の拡散反射膜で拡散・反射した光を前記第２の開口から出射して前記原稿搭載手段上の原稿面を照明し、前記第２の開口から入射する前記原稿面の反射光を前記第３の開口から出射して情報読み取り光学系に導くと共に、前記原稿面での正反射光成分を前記第１の開口に導くことを特徴とする照明装置。
【請求項２】
主走査方向と並行の、内面が光を拡散・反射する拡散反射膜で覆われた円筒と、前記円筒の外部に位置する光源とからなり、
前記円筒は、原稿搭載手段と相対する方向に設けられた第２の開口と、前記第２の開口に対向した位置から副走査方向に一定角度傾いた位置に設けられた第３の開口と、前記第２の開口に対向した位置から副走査方向に、前記第３の開口とは逆方向に一定角度傾いた位置に設けられた第１の開口とを備え、
前記光源からの光を前記第３の開口から円筒内に入射し、円筒内面の拡散反射膜で拡散・反射した光を前記第２の開口から出射して前記原稿搭載手段上の原稿面を照明し、前記第２の開口から入射する前記原稿面の反射光を前記第３の開口から出射して情報読み取り光学系に導くと共に、前記原稿面での正反射光成分を前記第１の開口に導くことを特徴とする照明装置。
【発明の詳細な説明】
【技術分野】
【０００１】
本発明はスキャナ、複写機等における原稿読み取り装置の照明技術として用いて好適である照明装置に関するものである。
【背景技術】
【０００２】
従来のこの種のものとしては、例えば、線状または点状の光源からの光束を複数枚の楕円または平面反射鏡を用いて読み取り位置へ集光するための構成のものが知られている（例えば、特許文献１）。現在、市販されているハロゲンランプ等の線状光源を用いたスキャナの照明部は、複数枚の楕円鏡を組み合わせた構成を取っており、基本的な考え方はなんら変わっていない。
【０００３】
以下に、原稿読み取り装置における従来の原稿照明方式の特徴及びその問題点について述べる。
（１）蛍光燈を用いた場合の原稿照明方式
図１９に蛍光燈を用いた場合の照明系の構成例を示す。蛍光燈は消費電力も小さく、安価であり最も多くの画像読み取り装置において用いられている光源である。しかし、光量変動が大きく、また拡散照明であるため読み取り位置のみを効率的に照明することは困難である。原稿面上の照度分布を測定すると蛍光燈のアパーチャ（開口部分）の真上部分が最も明るく、実際の読み取り位置はかなり照度が低下しており、照明効率が悪い。尚、図１９において、３０は蛍光燈、３１は原稿、３２は第１走行体ミラー、３３は対向反射板、３４はコンタクトガラスである。
【０００４】
（２）ハロゲンランプを用いた場合の原稿照明方式
図２０にハロゲンランプを用いた場合の照明系の構成例を示す。ハロゲンランプ３５の消費電力は大きいが、安定であり、高い原稿面照度を得ることが可能であるので、高解像度・高階調な原稿読み取り装置にはよく用いられる。ハロゲンランプ３５は線状光源であるのでリフレクタ（反射板）３６を用いて線状照明が可能である。しかし、実際には光束を絞り過ぎると原稿搭載手段としてのコンタクトガラス３４が熱により割れたり、照明系の設置に高い精度が要求されるといった不具合がある。
【０００５】
また、リフレクタ３６は高輝アルミ等の部材を折り曲げによって成形するため形状誤差による影響を低減するため、照明系の設計は照明光を故意に広げてかなり照明効率を落として使用しているのが現状である。照明効率を落とした分、原稿面照度を上げるためにハロゲンランプ３５の容量を上げると、発生する熱による原稿３１の損傷等の障害が発生する。したがって、ハロゲンランプ３５を用いて効率の高い照明を行おうとすると、部品コストおよび設置コストが高くつくことになる。尚、図２０においても、３２は第１走行体ミラー、３３は対向反射板を示している。
【０００６】
また、蛍光燈、ハロゲンランプの両者に共通することは、照明装置が結像光学系による画像の読み取りを妨げないように、照明装置は読み取り位置の真下ではなく、副走査方向のどちらかの側に配置しなければならなかったことである。このことは、光源と読み取り位置との距離を離さなければならず照明効率が低下すると共に、読み取り位置を副走査方向の片側からのみ照明すると、貼込のある原稿を読み取ったときに影が発生するので、多くの原稿読み取り装置では、図１９、２０に示すように片側に光源を配し、もう片方の側には対向反射板と呼ばれる鏡面からなる部材を配置しなければならず、コストを増加させるといった不具合も生じさせていた。
【０００７】
【特許文献１】特公昭６３−３３１９２号公報
【発明の開示】
【発明が解決しようとする課題】
【０００８】
上記のような問題を解決する一つの方法として、内面が光を拡散、反射する拡散反射膜で覆われた円筒を主走査方向に配置し、この円筒の側面（一方の側面）、上面、下面に、それぞれ細長の第１の開口、第２の開口、第３の開口を設け、第３の開口は第２の開口と対向させ、外部の光源からの光を第１の開口から入射し、内面の拡散反射膜で多重に拡散、反射させ、第２の開口から出射して、原稿搭載手段（コンタクト等）上の原稿を照明し、その反射光を再び第２の開口から入射し、該第２の開口に対向して設けられた第３の開口から出射して情報読み取り光学系に伝播するようにした照明装置が考えられる。この照明装置によれば、原稿面を均一でかつ高照度に照明することが出来ると共に、原稿の影の発生も防止することができる。
【０００９】
しかしながら、このような第２の開口と第３の開口が互いに対向した円筒を用いる照明装置においては、照明装置と原稿面との距離が変動した場合、読み取り位置での照度が大きく変動する。ところが、照明装置と原稿面との距離の変動を抑えるためには、装置の取付精度および構成を強固なものにしなければならず、その結果コストが高くついてしまう。したがって、本発明は、このような円筒を用いる照明装置の問題点を解消し、必要な原稿面照度を維持して、高品質な読み取りが可能になると共に安価な照明装置を提供することを目的とする。
【課題を解決するための手段】
【００１０】
本発明の照明装置は、主走査方向と並行の、内面が光を拡散・反射する拡散反射膜で覆われた円筒と、前記円筒の外部に位置する光源とからなり、前記円筒は、原稿搭載手段と相対する方向に設けられた第２の開口と、前記第２の開口に対向した位置から副走査方向に一定角度傾いた位置に設けられた第３の開口と、前記第２の開口に対向した位置から副走査方向に、前記第３の開口とは逆方向に一定角度傾いた位置に設けられた第１の開口とを備える。円筒外部の光源からの光を前記第１の開口あるいは前記第３の開口から円筒内に入射し、円筒内面の拡散反射膜で拡散・反射した光を前記第２の開口から出射して前記原稿搭載手段上の原稿面を照明する。そして、前記第２の開口から入射する前記原稿面の反射光を前記第３の開口から出射して情報読み取り光学系に導くと共に、前記原稿面での正反射光成分を前記第１の開口に導くようにする。
【発明の効果】
【００１１】
以上述べた如く、本発明の照明装置によれば、内部に拡散反射膜を持った円筒状の部材により、光源からの光束を拡散反射させ、原稿を真下から照明するので原稿面を均一でかつ高照度に照明することができると共に、原稿の影の発生も防止することができる。そして、本発明では、読み取り光学系により原稿を読み取るための第３の開口を、第２の開口に対応した原稿読み取り位置直下から所定角度傾けて配置し、斜め方向から原稿を読み取るようにし、さらに、前記第３の開口と逆方向に原稿読み取り位置したから所定角度はなれた位置の、読み取り光束中に混入する原稿搭載手段または原稿面からの正反射光を発生させる円筒上の部分には開口（第１の開口）を設けたため、原稿読み取り部分が直下方向から照明されるので、原稿面と照明装置との間隔が変動しても、読み取り位置の照度変動を低く抑えることができる。したがって、高性能の原稿読み取り装置を安価に得ることが可能となる。
【００１２】
さらに、本発明の照明装置によれば、光源からの光束を円筒内部に入射させるための開口を、読み取り光学系により原稿を読み取るための第３の開口、または読み取り光束への正反射光の混入を防ぐための開口（第１の開口）として併用するように構成したため、円筒内部から射出し、原稿面を照明するための光量の損失を低減できるので、より高い照度で原稿を照明することができ、したがって、より高品位な原稿読み取りを行うことが可能となる。
【発明を実施するための最良の形態】
【００１３】
図１は本発明の照明装置のもとになる照明装置を説明するための図であり、原稿読み取り装置における照明装置と原稿搭載手段を示したものである。図中２は開口４、５、６を有する円筒であり、その内面には高い拡散性と反射率を持った白色の拡散反射膜３が塗布等の手段により形成されている。光源７から発した光束はリフレクタ８により第１の開口４を通して円筒２の内に導かれ内部を照明する。円筒２の内壁を照明した光束は拡散反射膜３により拡散と反射を円筒内部で繰り返し、その一部の光束は円筒２の開口４、５、６から射出する。図中９は光源からの光束が直接原稿面を照明しないための遮光板である。
【００１４】
第２の開口５から射出した光束は原稿搭載手段としてのコンタクトガラス１上に置かれた原稿を照明する。第２の開口５と第３の開口６は対向するように配置されており、この第３の開口６を通して図中には記載しない読み取り光学系により、原稿面上に記載された情報を読み取ることができる。説明の都合上、円筒２の大きさに対して開口の幅を大きく描いているが、本来は円筒内部の拡散面の面積に比べて、開口部分の面積をなるべく狭く設定することで、開口部分での輝度をより高くすることができる。
【００１５】
さらに、拡散反射膜３として完全拡散面に近い特性をもつものを使用することにより、円筒内での照度を均一化することができる。したがって、第２の開口５の端面では第１の開口４と第３の開口６からの光束はないものの、均一な照度分布を作っている。
【００１６】
ここで、第２の開口５から射出した光束が原稿面上に作る照度分布について考える。第２の開口５から射出される光束は拡散光であり、かつ前述したとおり第３の開口６からの光束成分はないので、第２の開口５の直上方向つまり図１における原稿読み取り位置Ｒでの照度よりも高い照度をもつ極大値が読み取り位置Ｒの両側に生じる。この傾向は第２の開口５と原稿面との距離に比例して大きくなり、また第２の開口５の幅が狭いほど顕著となる。
【００１７】
しかし、第２の開口は読み取り位置Ｒの真下にあって非常に近接した位置に設置することが可能であり、また第２の開口５の幅を適当に調節することで、読み取り精度上問題とならない程度に均一な照明が容易に可能である。
【００１８】
図１の照明装置の大きな特徴は、原稿を照明する実質的な光源が第２の開口５の位置に置かれていると見なせる点にある。つまり、従来の照明方式は結像を妨げないように読み取り位置の前後に光源を配置せざるを得なかった。このため、光源と読み取り位置が離れてしまい、照明効率の低下が生じていた。特に蛍光燈照明の場合には顕著であった。図１の原稿照明装置を用いるならば、実質的な照明光源である第２の開口５を、原稿面上の読み取り位置Ｒの直下にあって非常に近接した位置に配置可能であるので、読み取り位置を中心として一定幅を均一でかつ高照度に照明可能であり、また貼込原稿に対しても影を発生させずに読み取ることが可能である。
【００１９】
図２は原稿移動型の読み取り装置に適用した場合であり、また光源からの光束を光ファイバ１０を用いて円筒２に導いた場合である。尚、図２において、１１は加圧ローラ、１２は原稿送りローラである。図３は円筒２の一部の見取り図である。
【００２０】
図４は、第２の開口５と第３の開口６の開口幅のを説明するものである。第２の開口５および第３の開口６を通して原稿の情報を読み取る場合、第３の開口６から射出する光束には原稿面から反射した光束と円筒２内で多重反射した拡散光が存在する。
【００２１】
高品質な画像読み取りを行うためには、円筒２内で多重反射した拡散光を含まず、原稿面から反射した光束のみを結像レンズに取り込み、光電変換素子上に結像する必要がある。また、第２の開口５および第３の開口６に要求される開口幅の最小値は、レンズによる原稿からの反射光の取り込みを妨げない幅である。この意味では原稿面に近い第２の開口５の最小幅は第３の開口６よりも狭いことになる。そこで、ｂ＜ａの場合を考えると、第２の開口５に隣接した円筒２の内壁で反射した光束の一部には結像光学系の光軸に平行もしくは平行に近い角度で第３の開口６を通過する光束が存在する。こうした光束は、読み取ろうとする原稿からの光束との分離がほとんど困難であり、フレア光として読み取り画像品質を低下させる（光軸に対し角度を持ったフレア光は、光路中にスリット等を設置することで除去可能である）。ここで、第２の開口５の開口幅ｂを第３の開口６の幅ａよりも広くすることにより、このフレア光を低減することが可能となる。
【００２２】
図５および図６は、図４とは異なる構成でフレア光の低減を実現するものである。図４は第２の開口５の幅を第３の開口６よりも広くすることでフレア光を低減させるというものであったが、第２の開口５の幅ｂを広くすることにより、第２の開口５における輝度は低下する。一方、原稿面における照度とその分布の最適化は原稿面と円筒２との距離に依存することは先に述べた通りである。ここで図２に示した原稿移動型の読み取り装置に第１実施例を適用した場合を考える。この場合には、原稿と第２の開口５が接しているため、最も均一かつ高照度な証明が可能である。高品位読み取りを行うためには、読み取り位置Ｒのみを高い照度で照明し、読み取り位置以外には証明しないのが理想であり、これは第２の開口５の幅を狭くすることで実現可能である。しかし、第２実施例において説明したとおり、第２の開口５の幅ｂが第３の開口６の幅ａよりも狭く（ｂ＜ａ）なるとフレア光により読み取り品質が逆に低下する。
【００２３】
図５においては、第２の開口５（幅ｂ）は第３の開口６（幅ａ）よりも狭く構成されている。しかし、第２の開口５を挟んでその両側には拡散反射膜３を塗布しない、幅ｃの領域（ｃ＞ａ）を形成することにより、図４と同様に結像光束へのフレア光の混入を防ぐことができる。これにより、図２で示した原稿移動型の原稿読み取り装置では照明幅を絞り、かつ高照度照明が可能となる。
【００２４】
図６は、第３の開口６よりも広い幅をもつ第２の開口５の真上に、別部材からなる第３の開口よりも狭い開口幅ｂ（ｂ＜ａ）をもつ遮光板１３を設置して実質的な第２の開口５の幅をｂとすることで同様の効果が得られる。このとき、拡散反射膜３が塗布されていない部分１４を、光をほとんど反射させないように黒色処理を行うか、そうした黒色の部材を塗布もしくは張り付けることで、よりフレア光の発生を抑制する効果を高めることができる。
【００２５】
図７は、本発明にかかる照明装置のさらにもとになる照明装置を説明するためのものであり、先の図１と同様に原稿読み取り装置における照明装置と原稿搭載手段とを示したものである。図中２は第１の開口４、第２の開口５、第３の開口６、および第４の開口６ａを有する円筒であり、その内面には高い拡散性と反射率を持った白色の拡散反射膜３が塗布等の手段により形成されている。
【００２６】
光源７から発した光束はリフレクタ８により第１の開口４を通して円筒２内に導かれ内部を照明する。円筒２の内壁を照明した光束は、円筒２の内部で拡散反射膜３により拡散と反射を繰り返し、その一部の光束は開口４，５，６，６ａから射出する。第２の開口５から射出した光束は、原稿載置手段としてのコンタクトガラス１上に置かれた原稿を照明する。第２の開口５と第３の開口６は対向した位置から所定の角度θだけ傾いた位置に配置されている。この第３の開口６を通して、図示されない読み取り光学系により、原稿面上に記載された情報を読み取ることができる。
【００２７】
第４の開口６ａは、結像光束に混入するコンタクトガラスおよび原稿面での正反射光成分を発生させる円筒内面部分に対応しており、この部分を開口とすることにより、上記正反射光成分を除去し、原稿情報を正しく読み取ることができる。すなわち、開口６ａの設置位置は、読み取り光学系により結像される光束の光軸が、原稿面に対して読み取り位置から引かれる垂線となす角度θと、前記垂線に対し同じ角度θだけ開口６と反対方向の位置を中心として配置され、さらに開口６ａの開口幅は、結像光束の見込み角ηにより決定される。
【００２８】
図８と図９は、図７の照明装置の効果と、先の図１に示す照明装置の問題点とを比較して示すものである。図８は、図７において、原稿面の位置がＡからＢに変化し、円筒２および光源７からなる照明装置と原稿面との間隔が変動した場合の、原稿面上における相対的な照度分布を示している。これに対し、図９は、原稿面上に記載された情報を読み取り光学系により読み取るための第３の開口６が、第２の開口５と対向した位置に設けられた図１における照明装置と原稿面との間隔が変動した場合の、原稿面上における相対的な照度分布を示している。図９中の点線で示される照度分布は、同図中の読み取り位置を境に円筒の左右各部分からの光束が原稿面上に作る照度分布を示している。
【００２９】
先の図１に示す照明装置の場合、原稿読み取り位置の直下に開口５，６が存在するため、直下方向からの照明光束は存在せず、読み取り位置は図中の左右の円筒内部からの拡散反射光によって照明される。したがって、円筒の左右各部が原稿面上に作る照度分布は、図９で点線で示されるように、照明装置と原稿面との間隔が広がるにつれて照度のピーク位置が横方向に移動する。このため、原稿読み取り位置が照度分布の谷となる問題がある。
【００３０】
これに対し、図７の原稿照明装置においては、開口６と６ａとで囲まれた円筒部分からの拡散反射光束が、原稿読み取り位置を直下から最も強く照明している。このため、図８に示すように照明装置と原稿面との距離の変動が生じても照度のピーク位置は変化せず、常に安定して、かつ、高照度で読み取り位置を照明することができる。
【００３１】
図１０は、図７の照明装置の別の実施例を説明するための図である。この実施例は、第４の開口６ａから射出する光束が迷光となって結像光学系へ混入することを防ぐために、内壁が黒色の部材からなるトラップ６ｂを開口６ａの外側に設けたものである。開口６ａを設けた理由はコンタクトガラス、原稿面からの正反射光成分が結像光束に混入しないようにするためであるから、必ずしも円筒２に開口６ａを設ける必要はない。すなわち、円筒２の内壁の開口６ａに相当する位置に拡散反射膜を形成しないようにするか、または、上記位置に低反射率の黒色部材からなる薄膜を形成する等の手段を採用することができ、同等の効果が得られる。
【００３２】
図１１は本発明の照明装置の第１実施例を説明するための図である。開口５、開口６及び開口６ａの位置関係は図７と同様である。この実施例においては、光源７からの光束は、リフレクタ８により開口６ａを通して円筒２内に導かれ、内部を照明する。円筒２の内壁を照明した光束は、拡散反射膜３により拡散と反射を円筒内部で繰り返し、その一部の光束は開口５，６，６ａから射出する。第２の開口５から射出した光束は、原稿搭載手段としてのコンタクトガラス１上に置かれた原稿を照明する。第２の開口５と第３の開口６とは、対向した位置から所定の角度θだけ傾いた位置に配置されており、原稿面上に記載された情報は、図１１には示されない読み取り光学系により、第３の開口６を通して読み取ることができる。また、第４の開口６ａは、結像光束に混入するコンタクトガラス及び原稿面での正反射光成分を発生させる円筒内面部分に対応しており、上記正反射光成分を除去し、原稿情報を正しく読み取ることができる。
【００３３】
図１２は、本発明の照明装置の第２実施例を説明するための図である。この実施例は、円筒２内部への光の入射を、開口６を通して行うようにしたものである。これ以外は図１１と同様である。
【００３４】
図７では円筒２の内壁に４つの開口を設け、図１０の実施例では円筒２の内壁に３つの開口と、開口と同等の効果をもつ非反射部材とを設けたので、図１に示すような円筒上に開口を３つしか持たない照明装置に比べて光の損失が多く、結局、原稿面を照明する光量が低下していた。これに対し、図１１，１２に示す本発明の照明装置では、円筒に形成される開口は図１の照明装置と同じく３つであり、したがって、図１の照明装置と同等の原稿面照度を得ることができる。
【００３５】
図１３は、本発明の照明装置の第３実施例を説明するための図である。この実施例は、照明装置が大きくなり過ぎないように、光源７からの光束をリフレクタ８を介して円筒２内へ入射させるようにしたものである。
【００３６】
図１４および図１５は、図７の変形例を説明するための図である。開口６，６ａは図７における開口６，６ａと同じ役割をもつものである。つまり、開口６は読み取り光学系により原稿の情報を読み取るためのものであり、開口６ａは読み取り光学系により結像される光束中にコンタクトガラス、原稿面からの正反射光を混入させないためのものである。開口６ａには、開口６ａを塞ぎ、かつ、開閉可能な蓋１９が取り付けられている。蓋１９の円筒内面側には円筒２と同様に拡散反射膜３が塗布等の手段により形成されている。
【００３７】
いま、蓋１９を開いた状態（図１４）で原稿を読み取ったときの出力値をＩｏとする。これは、コンタクトガラスおよび原稿からの正反射光成分を含まない値である。つぎに、蓋１９を閉じて（図１５）同じ原稿を読み取ったときの出力値をＩｓとする。ＩｓはＩｏと、コンタクトガラスからの正反射光成分Ｉｃと、原稿からの正反射光成分Ｉｇとの和と考えることができる。つまり、Ｉｓ＝Ｉｏ＋Ｉｃ＋Ｉｇと表すことができる。
【００３８】
ここで、Ｉｃは原稿によらず一定であるから、予め測定し記憶させておく。蓋１９を閉じて読み取られた値Ｉｓから、上記Ｉｃを減算した値はＩｏ＋Ｉｇとなる。Ｉｇは原稿表面の光沢性によって変化する。したがって、Ｉｏと（Ｉｏ＋Ｉｇ）の比を求めることによって、原稿の光沢度を知ることができる。読み取り対象原稿の光沢度、およびその変化具合を知ることで、原稿が写真か否か、写真の場合には光沢、半光沢のいずれであるか、さらには普通原稿に写真が部分的に貼り込まれているかどうかといった情報を得ることができる。
【００３９】
図１６は、原稿読み取り・再現装置を説明するための図であって、図１４、図１５の原稿照明装置を用いて原稿の光沢度Ｔを検出し、光沢度Ｔに応じて異なる処理を行う場合のフローチャートである。初めに蓋１９を閉めて第１の読み取り走査を行い、正反射光成分を含む値Ｉｓを読み取る。読み取った結果は、一旦メモリ上に蓄積する。つづいて蓋１９を開けて第２の読み取り走査を行う。このとき読み取られた値はＩｏである。別途、原稿が原稿搭載手段（コンタクトガラス）上に置かれず、かつ蓋１９が閉じられた場合での読み取り値Ｉｃが測定され、記憶されている。上記Ｉｓ，Ｉｏ，Ｉｃを用いて、光沢度ＴはＴ＝（Ｉｓ−Ｉｃ）／Ｉｏとして求められる。
【００４０】
図１６ではＴの値が、適当な設定値Ｎ１，Ｎ２によって３つの場合すなわち、Ｔ＜Ｎ１、Ｎ１≦Ｔ≦Ｎ２、Ｔ＞Ｎ２にクラス分けされ、それぞれのクラスに応じて異なる処理（処理１、処理２、処理３）が行われる。なお、図１６では３つの場合にクラス分けしているが、本発明はこれに限定されるものではない。
【００４１】
図１７は、同じく原稿読み取り・再現装置を説明するための図であって、図１４、図１５の原稿照明装置を用いて原稿の光沢度Ｔを検出し、光沢度Ｔに応じて異なる処理を行う場合の他のフローチャートである。上記図１６のように、読み取られた各画素ごとに光沢度を求め、光沢度に応じた処理を行う原稿読み取り・再現装置においては、原稿表面の汚れやコンタクトガラスの汚れ等によって、求められた光沢度が画素ごとに変動する場合に、処理が画素ごとに切り替わってしまい、適正な画像が得られないことがある。図１７の実施例は、この不具合をなくしたものである。
【００４２】
すなわち図１７では、画素ごとに求められる光沢度に応じて処理を異ならせる場合において、光沢度が特定の範囲（図１７ではＮ１≦Ｔ≦Ｎ２）に入る場合の処理を標準の処理（図１７では処理２）とする。そして、注目画素の光沢度が前述の範囲に入らなかった（図１７ではＴ＜Ｎ１、Ｔ＞Ｎ２）場合には、注目画素周辺の画素の光沢度を探索し、注目画素と同じ範疇にクラス分けされた画素が連続し、かつ、所定の画素数以上の領域を有するか否かを判断し、有する場合には前述のクラスごとに固有の処理（図１７では処理１および処理３）を行い、それ以外の場合には、標準の処理（図１７では処理２）を行う。
【００４３】
図１８は、読み取られた原稿の光沢度から、図１７のフローチャートに従って判別し、処理１，２および３を行うべき領域を示したものである。
【００４４】
図１６のフローチャート、および図１７のフローチャートにおいては、光沢度に応じて処理を異ならせるようにしているが、この場合の処理として以下のものが考えられる。すなわち、（１）光沢の異なる各種原稿〔例えば、写真（光沢／半光沢／絹目）、印刷（コート紙、新聞等）〕に対して異なる色変換マトリックスを作成しておき、光沢度に応じてこれらを切り替えて色変換するもの、（２）光沢度に応じて部分的にラミネート（例えば図１８の処理１と処理３の部分をラミネートする）を行う、などの処理が可能である。
【図面の簡単な説明】
【００４５】
【図１】本発明のもとになる照明装置の説明図である。
【図２】図１の照明装置を移動型読み取り装置に適用した場合の説明図である。
【図３】図１の照明装置の斜視図である。
【図４】図１の照明装置における第２の開口と第３の開口の開口幅の説明図である。
【図５】図１の照明装置の変形例の説明図である。
【図６】同じく他の変形例の説明図である。
【図７】本発明のさらにもとになる照明装置の説明図である。
【図８】図７の照明装置の効果説明図である。
【図９】図１の照明装置の問題点説明図である。
【図１０】図７の照明装置の変形例である。
【図１１】本発明に係る照明装置の第１実施例の説明図である。
【図１２】同じく第２実施例の説明図である。
【図１３】同じく第３実施例の説明図である。
【図１４】図７の照明装置の別の変形例の説明図である。
【図１５】図７の照明装置の別の変形例の説明図である。
【図１６】図１４、図１５の照明装置を使用した原稿読み取り・再現装置を説明するためのフローチャートである。
【図１７】同じく図１４、図１５の照明装置を使用した原稿読み取り・再現装置を説明するための別のフローチャートである。
【図１８】図１７による処理イメージの説明図である。
【図１９】従来技術に係る説明図である。
【図２０】他の従来技術に係る説明図である。
【符号の説明】
【００４６】
１    コンタクトガラス
２    円筒
３    拡散反射膜
４    第１の開口
５    第２の開口
６    第３の開口
６ａ  第４の開口
６ｂ  トラップ（請求項の第１の開口に対応）
７    光源
８    リフレクタ
９    遮光板
１９    蓋
θ    角度
η    結像光束の見込み角
【図１】
0003734818.tif 000002
【図２】
0003734818.tif 000003
【図３】
0003734818.tif 000004
【図４】
0003734818.tif 000005
【図５】
0003734818.tif 000006
【図６】
0003734818.tif 000007
【図７】
0003734818.tif 000008
【図８】
0003734818.tif 000009
【図９】
0003734818.tif 000010
【図１０】
0003734818.tif 000011
【図１１】
0003734818.tif 000012
【図１２】
0003734818.tif 000013
【図１３】
0003734818.tif 000014
【図１４】
0003734818.tif 000015
【図１５】
0003734818.tif 000016
【図１６】
0003734818.tif 000017
【図１７】
0003734818.tif 000018
【図１８】
0003734818.tif 000019
【図１９】
0003734818.tif 000020
【図２０】
0003734818.tif 000021